(57)【要約】【課題】ガラス扉の閉鎖時にガラスアセンブリと窓枠との間に隙間が生じるのを防止したパチンコ機（遊技機）を提供する。【解決手段】本発明では、遊技盤１０を保持する前枠２と、前枠２の前面側に開閉可能に取り付けられて閉鎖状態において遊技盤１０を視認可能に構成されたガラス扉５とを備え、ガラス扉５が、前枠２の前面側に開閉可能に取り付けられた窓枠５０と、窓枠５０の背面側に取り付けられたガラスアセンブリ６０とを有して構成されたパチンコ機ＰＭにおいて、前枠２における遊技盤１０の上方に位置する部分に、ガラス扉５を前枠２に対して閉鎖させたとき窓枠５０との間でガラスアセンブリ６０の上部を受容する受け部２２が設けられ、ガラス扉５を前枠２に対して閉鎖させた状態で、ガラスアセンブリ６０が前方から押圧されると当該受け部２２にガラスアセンブリ６０の上部が当接するように構成されている。【選択図】図３
2007202702.tif 000002
【特許請求の範囲】
【請求項１】
遊技盤を保持する枠部材と、前記枠部材の前面側に開閉可能に取り付けられて閉鎖状態において前記遊技盤を視認可能に構成されたガラス扉とを備え、前記ガラス扉が、前後方向に開口した窓口を有して前記枠部材の前面側に開閉可能に取り付けられた窓枠と、前記窓枠の背面側に前記窓口を塞ぐように取り付けられたガラスアセンブリとを有して構成された遊技機において、
前記枠部材における前記遊技盤の上方に位置する部分に、前記ガラス扉を前記枠部材に対して閉鎖させたとき前記窓枠との間で前記ガラスアセンブリの上部を受容する受け部が設けられ、
前記ガラス扉を前記枠部材に対して閉鎖させた状態で、前記ガラスアセンブリが前方から押圧されると前記受け部に前記ガラスアセンブリの上部が当接するように構成されていることを特徴とする遊技機。
【発明の詳細な説明】
【技術分野】
【０００１】
本発明は、パチンコ機等に代表される遊技機に関し、さらに詳しくは、遊技機に構成されるガラス扉を枠部材に対して閉鎖保持するための構造に関する。
【背景技術】
【０００２】
遊技機の代表例であるパチンコ機では、開閉搭載枠たる前枠の正面奥部に、所定のゲージ設定で遊技領域が形成された遊技盤がセット保持されており、その前面側に遊技領域を透視保護するガラス扉が開閉可能に取り付けられている。
【０００３】
ガラス扉は、例えば、前後方向に開口する窓口を有して外郭方形状に一体成型された窓枠と、この窓枠の背面側に窓口を塞ぐように取り付けられたガラスアセンブリとを主体として構成されており、窓枠および前枠の左側縁に配設されたヒンジ機構で横開き開閉自在に支持されるとともに、互いの右側縁に配設された施錠装置を利用して閉鎖保持可能に取り付けられている（例えば、特許文献１を参照）。ガラスアセンブリは、前後２枚のガラス板がその周縁を支持する保護フレームに収容されて一体となるように構成される。そして、このガラスアセンブリは、窓枠の背面右側に設けられたガラスヒンジ機構により横開き開閉および着脱が可能に取り付けられ、背面左側に配設された係止部材をガラスアセンブリに係止させることによって窓口を塞ぐ閉止位置に取り付け保持される。
【特許文献１】特開２００４−２０８９４７号公報
【発明の開示】
【発明が解決しようとする課題】
【０００４】
しかしながら、上述のようなパチンコ機においては、係止部材が窓枠の背面左側（側部）に配設されることが多いため、ガラス扉（窓枠）の上部においてガラスアセンブリと窓枠との間に隙間が生じ易く、この隙間から異物等が挿入されて不正行為が行われるおそれがあった。
【０００５】
本発明は、このような問題に鑑みて成されたものであり、ガラス扉の閉鎖時にガラスアセンブリと窓枠との間に隙間が生じるのを防止した遊技機を提供することを目的とする。
【課題を解決するための手段】
【０００６】
このような目的達成のため、本発明に係る遊技機は、遊技盤を保持する枠部材（例えば、実施形態における前枠２）と、枠部材の前面側に開閉可能に取り付けられて閉鎖状態において遊技盤を視認可能に構成されたガラス扉とを備え、ガラス扉が、前後方向に開口した窓口を有して枠部材の前面側に開閉可能に取り付けられた窓枠と、窓枠の背面側に窓口を塞ぐように取り付けられたガラスアセンブリとを有して構成された遊技機（例えば、実施形態におけるパチンコ機ＰＭ）において、枠部材における遊技盤の上方に位置する部分に、ガラス扉を枠部材に対して閉鎖させたとき窓枠との間でガラスアセンブリの上部を受容する受け部が設けられ、ガラス扉を枠部材に対して閉鎖させた状態で、ガラスアセンブリが前方から押圧されると当該受け部にガラスアセンブリの上部が当接するように構成されている。
【発明の効果】
【０００７】
本発明によれば、ガラス扉を枠部材に対して閉鎖させた状態で、ガラスアセンブリが前方から押圧されると枠部材の受け部にガラスアセンブリの上部が当接するため、（特に、ガラス扉の上部において）ガラスアセンブリと窓枠との間に隙間が生じにくくなることから、ガラス扉の閉鎖時にガラスアセンブリと窓枠との間に隙間が生じるのを防止することができる。
【発明を実施するための最良の形態】
【０００８】
以下、本発明の好ましい実施形態について図面を参照しながら説明する。本発明に係る遊技機の代表例としてパチンコ機ＰＭを図１〜図４に示している。ここで、図１はパチンコ機ＰＭの正面図、図２はパチンコ機ＰＭのガラス扉を取り外して示す正面図、図３は図１中の矢印III−IIIに沿った断面図、そして図４は図３におけるパチンコ機ＰＭの上部を示す拡大断面図である。
【０００９】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１０】
前枠２の前面側上部には、ガラス扉５が前方に横開き開閉及び着脱可能に取り付けられ、施錠装置４を利用して常には前枠２の前面を覆う閉止状態に保持される。図２に示すように、ガラス扉５の背後に位置する前枠上部には、遊技盤１０を着脱可能に収容する収容部２１が設けられており、この収容部２１に立設姿勢で係止保持された遊技盤１０がガラス扉５を通して視認されるようになっている。
【００１１】
遊技盤１０は、所定板厚の積層合板の表面にセルを貼り付けてルーター加工した化粧板を基板とし、円弧状のレール（図示せず）等に囲まれて略円形状の遊技領域ＰＡ（図１を参照）が形成される。詳細な図示を省略するが、遊技領域ＰＡには、多数本の遊技釘や風車（図示せず）とともに各種入賞装置（図示せず）等の遊技構成部品が取り付けられている。
【００１２】
前枠２の前面における上記ガラス扉５の下側には、遊技球を貯留する上球皿６が取り付けられており、この上球皿６の下側には下球皿７および発射ハンドル８が取り付けられている。また、図示省略するが、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）等が設けられている。
【００１３】
前枠２の背面側には、図３に示すように、裏セット盤３０がヒンジ機構（図示せず）により揺動開閉および着脱可能に取り付けられる。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基づいて遊技球を払い出す球払出装置３４、球払出装置３４から払い出された遊技球を上球皿６に導く球払出通路３５等の遊技球の処理機構が設けられている。また、裏セット盤３０には、パチンコ機ＰＭの作動を統括的に制御する主制御装置３８等の各種制御装置や、回路基板（図示せず）等の各種電子部品が取り付けられており、これらが図示しないコネクタケーブルで接続されてパチンコ機ＰＭが作動可能に構成される。
【００１４】
パチンコ機ＰＭは、前枠２やガラス扉５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００１５】
次に、ガラス扉５について説明する。ガラス扉５は、図３に示すように、前枠２の前面上部に揺動開閉および着脱可能に取り付けられた窓枠５０と、窓枠５０の背面側に揺動開閉および着脱可能に取り付けられたガラスアセンブリ６０とを主体に構成される。窓枠５０は、ＡＢＳ樹脂等の樹脂材料を用いて、中央部分で前後方向に開口した窓穴５１（図１も参照）を有する枠状に形成され、この窓枠５０の背面側にガラスアセンブリ６０が窓穴５１を塞ぐよう取り付けられる。
【００１６】
ガラスアッセンブリ６０は、図４に示すように、前後２枚のガラス板６１，６２と、各ガラス板６１，６２の周縁を支持する保護フレーム６５とを備えて構成され、前後２枚のガラス板６１，６２が所定間隔をおいて互いに平行となるように保護フレーム６５に収容される。なお、保護フレーム６５は、ＡＢＳ樹脂等の樹脂材料を用いて、各ガラス板６１，６２の周縁部の形状に合わせた枠状に一体的に形成されている。そして、ガラスアッセンブリ６０は、窓枠５０の背面右側に設けられたガラスヒンジ機構（図示せず）により揺動開閉可能に支持され、窓枠５０の背面側に配設された係止部材（図示せず）をガラスアセンブリ６０に係止させることによって窓口５１を塞ぐ閉止位置に取り付け保持される。
【００１７】
ところで、前枠２における遊技盤１０の上方に位置する部分、すなわち収容部２１の上部には、図２および図４に示すように、ガラス扉５を前枠２に対して閉鎖させたとき窓枠５０（上部）との間でガラスアセンブリ６０の上部を受容する受け部２２が形成されている。受け部２２は、図４に示すように、ガラス扉５を前枠２に対して閉鎖させたときガラスアセンブリ６０の上部背面側に近接もしくは隣接するようになっており、ガラス扉５を前枠２に対して閉鎖させた状態で、ガラスアセンブリ６０が前方から（後方に向けて）押圧されると、この受け部２２にガラスアセンブリ６０の上部が当接するようになっている。
【００１８】
このように構成されるパチンコ機ＰＭにおいて、ガラス扉５を前枠２に対して閉鎖させると、前述したように、窓枠５０の上部と前枠２の受け部２２との間にガラスアセンブリ６０の上部が受容されて、ガラスアセンブリ６０の上部背面側に受け部２２が近接もしくは隣接するようになっている。そのため、施錠装置４によりガラス扉５（窓枠５０）が前枠２に対して閉鎖保持された状態で、ガラスアセンブリ６０だけを前方から（後方に向けて）強く押圧しても、受け部２２にガラスアセンブリ６０の上部が当接し、窓枠５０に対するガラスアセンブリ６０（上部）の相対移動が規制されて（特に、ガラス扉５の上部において）ガラスアセンブリ６０と窓枠５０との間に隙間が生じにくくなる。
【００１９】
これにより、本実施形態のパチンコ機ＰＭによれば、ガラス扉５を前枠２に対して閉鎖させた状態で、ガラスアセンブリ６０が前方から押圧されると前枠２の受け部２２にガラスアセンブリ６０の上部が当接するため、（特に、ガラス扉５の上部において）ガラスアセンブリ６０と窓枠５０との間に隙間が生じにくくなることから、ガラス扉５の閉鎖時にガラスアセンブリ６０と窓枠５０との間に隙間が生じるのを防止することができる。
【００２０】
なお、ガラスアセンブリ６０を遊技盤１０の一部に当接させることも考えられるが、前枠２の収容部２１に対する遊技盤１０の組み付け誤差等によって、ガラスアセンブリ６０と遊技盤１０との間に比較的大きな隙間が生じるおそれがある。そのため、ガラスアセンブリ６０が前方から強く押圧されたときに、係止部材（図示せず）による取り付け保持に拘わらず、ガラスアセンブリ６０が前枠２に閉鎖保持された窓枠５０に対して動いてしまい、ガラスアセンブリ６０と窓枠５０との間に隙間が生じてしまうおそれがある。これに対し、ガラスアセンブリ６０に対する前枠２の相対位置は、ガラスアセンブリ６０に対する遊技盤１０の相対位置よりも安定するため、ガラスアセンブリ６０の上部を遊技盤１０ではなく前枠２の受け部２２に当接させることで、より確実にガラスアセンブリ６０と窓枠５０との間に隙間が生じにくくなり、ガラス扉５の閉鎖時にガラスアセンブリ６０と窓枠５０との間に隙間が生じるのを防止することが可能になる。
【００２１】
また、上述の実施形態において、本発明に係る遊技機としてパチンコ機ＰＭを例に説明しているが、これに限られるものではなく、例えば、アレンジボール機や雀球遊技機等の遊技機に対しても本発明を適用することができる。
【図面の簡単な説明】
【００２２】
【図１】本発明に係る遊技機の代表例であるパチンコ機の正面図である。
【図２】上記パチンコ機のガラス扉を取り外して示す正面図である。
【図３】図１中の矢印III−IIIに沿った断面図である。
【図４】図３におけるパチンコ機の上部を示す拡大断面図である。
【符号の説明】
【００２３】
ＰＭ  パチンコ機（遊技機）
ＰＡ  遊技領域
２  前枠（枠部材）
５  ガラス扉
１０  遊技盤
２１  収容部
２２  受け部
５０  窓枠
５１  窓口
６０  ガラスアセンブリ
６１  ガラス板
６２  ガラス板
６５  保護フレーム
【図１】
2007202702.tif 000003
【図２】
2007202702.tif 000004
【図３】
2007202702.tif 000005
【図４】
2007202702.tif 000006